(57)【要約】【課題】利用者の体圧の集中を緩和させることが可能な体位安定クッション片、体位安定クッション及び体位安定クッションの使用方法を提供する。【解決手段】一対の側面１２（２２），１４（２４）と、該一対の側面１２（２２），１４（２４）間に設けられ、利用者２を支持する支持面１６（２６）とを少なくとも有する体位安定クッション片１０（２０）であって、支持面１６（２６）は、正面方向に向けて下方に傾斜しつつ、一方の側面１２（２４）から他方の側面１４（２２）に向けて傾斜している。【選択図】図１
2016209403.tif 000002
【特許請求の範囲】
【請求項１】
一対の側面と、該一対の側面間に設けられ、利用者を支持する支持面とを少なくとも有する体位安定クッション片であって、
前記支持面は、正面方向に向けて下方に傾斜しつつ、一方の側面から他方の側面に向けて傾斜している
ことを特徴とする体位安定クッション片。
【請求項２】
前記一対の側面は、それぞれ、前後方向に延びる底辺と、該底辺の後端部から上方に向けて延びる後辺と、該後辺の上端部から正面方向かつ下方に向けて傾斜して延びる上辺とを少なくとも有する多角形状に形成され、
前記一方の側面の前記底辺、前記後辺及び前記上辺は、それぞれ、前記他方の側面の前記底辺、前記後辺及び前記上辺よりも長くなるよう形成され、
前記体位安定クッション片は、前記一方の側面の前記底辺から前記他方の側面の前記底辺に亘って延びる底面と、前記一方の側面の前記後辺から前記他方の側面の前記後辺に亘って延びる背面と、前記一方の側面の前記上辺から前記他方の側面の前記上辺に亘って延びる上面とを有し、
前記上面が、前記支持面である
ことを特徴とする請求項１に記載の体位安定クッション片。
【請求項３】
前記一対の側面は、同一形状を有し、かつ、互いに異なる大きさを有している
ことを特徴とする請求項１又は２に記載の体位安定クッション片。
【請求項４】
請求項１〜３のいずれかに記載の体位安定クッション片と、
該体位安定クッション片に対して左右対称となる形状及び大きさを有する第２体位安定クッション片と
を備えることを特徴とする体位安定クッション。
【請求項５】
請求項４に記載の体位安定クッションの使用方法であって、
前記体位安定クッション片の前記一方の側面と、該体位安定クッション片の一方の側面と同形同大に形成された前記第２体位安定クッション片の他方の側面とを接触させ、前記体位安定クッション片及び前記第２体位安定クッション片が軸方向に沿って連続するように配置された状態の前記体位安定クッションによって、利用者を支持する
ことを特徴とする体位安定クッションの使用方法。
【請求項６】
請求項４に記載の体位安定クッションの使用方法であって、
前記体位安定クッション片の前記他方の側面と、該体位安定クッション片の他方の側面と同形同大に形成された前記第２体位安定クッション片の一方の側面とを接触させ、前記体位安定クッション片及び前記第２体位安定クッション片が軸方向に沿って連続するように配置された状態の前記体位安定クッションによって、利用者を支持する
ことを特徴とする体位安定クッションの使用方法。
【請求項７】
請求項４に記載の体位安定クッションの使用方法であって、
前記体位安定クッション片の前記一方の側面と、該体位安定クッション片の一方の側面と同形同大に形成された前記第２体位安定クッション片の他方の側面とが互いに同一の方向を向き、かつ、前記体位安定クッション片と前記第２体位安定クッション片とが互いに平行となるよう、前記体位安定クッション片及び前記第２体位安定クッション片を離間して配置させた状態の前記体位安定クッションによって、利用者を支持する
ことを特徴とする体位安定クッションの使用方法。
【発明の詳細な説明】
【技術分野】
【０００１】
本発明は、利用者を支持することで体位を安定させる体位安定クッション片、体位安定クッション及び体位安定クッションの使用方法に関するものである。
【背景技術】
【０００２】
従来、利用者を支持することで体位を安定させるクッションとして、図９に示すように、一対の側面１０２，１０４と、一方の側面１０２から他方の側面１０４に亘って延びる上面１０６、底面１０８及び背面１１０とを有する三角柱状のクッション１００が知られている。特許文献１には、このような三角柱状クッションを寝たきりの病人や老人等と寝床との間に挿入することで、褥瘡（床ずれ）を予防することが開示されている。また、特許文献２には、このような三角柱状クッションを睡眠者と寝床との間に挿入することで、睡眠時のいびきの発生を防止することが開示されている。
【先行技術文献】
【特許文献】
【０００３】
【特許文献１】特開２００４−３５７８１９号
【特許文献２】特開２００５−３４４１８号
【発明の概要】
【発明が解決しようとする課題】
【０００４】
しかしながら、従来の三角柱状クッション１００は、利用者を支持する上面１０６が、一方の側面１０２から他方の側面１０４に亘って軸方向と平行に延びる平らな面であるため、利用者から受ける圧力が一部分に集中しやすいという問題がある。特に、利用者の肩部から臀部に至る領域は凹凸が大きいため、従来の三角柱状クッション１００を用いて側臥位（横向き）状態の利用者を支持した場合には、利用者の肩部近傍や臀部近傍に圧力が集中し、血流障害を引き起こすおそれがあるという問題がある。
【０００５】
本発明は、利用者の体圧の集中を緩和させることが可能な体位安定クッション片、体位安定クッション及び体位安定クッションの使用方法を提供することを目的とする。
【課題を解決するための手段】
【０００６】
上記の目的を達成するため、本発明に係る体位安定クッション片は、一対の側面と、該一対の側面間に設けられ、利用者を支持する支持面とを少なくとも有する体位安定クッション片であって、前記支持面は、正面方向に向けて下方に傾斜しつつ、一方の側面から他方の側面に向けて傾斜していることを特徴とする。
【０００７】
本発明に係る体位安定クッション片において、前記一対の側面は、それぞれ、前後方向に延びる底辺と、該底辺の後端部から上方に向けて延びる後辺と、該後辺の上端部から正面方向かつ下方に向けて傾斜して延びる上辺とを少なくとも有する多角形状に形成され、前記一方の側面の前記底辺、前記後辺及び前記上辺は、それぞれ、前記他方の側面の前記底辺、前記後辺及び前記上辺よりも長くなるよう形成され、前記体位安定クッション片は、前記一方の側面の前記底辺から前記他方の側面の前記底辺に亘って延びる底面と、前記一方の側面の前記後辺から前記他方の側面の前記後辺に亘って延びる背面と、前記一方の側面の前記上辺から前記他方の側面の前記上辺に亘って延びる上面とを有し、前記上面が、前記支持面であることが好ましい。
【０００８】
また、本発明に係る体位安定クッション片において、前記一対の側面は、同一形状を有し、かつ、互いに異なる大きさを有することが好ましい。
【０００９】
本発明に係る体位安定クッションは、上記体位安定クッション片と、該体位安定クッション片に対して左右対称となる形状及び大きさを有する第２体位安定クッション片とを備えることを特徴とする。
【００１０】
本発明に係る体位安定クッションの第１の使用方法は、前記体位安定クッション片の前記一方の側面と、該体位安定クッション片の一方の側面と同形同大に形成された前記第２体位安定クッション片の他方の側面とを接触させ、前記体位安定クッション片及び前記第２体位安定クッション片が軸方向に沿って連続するように配置された状態の前記体位安定クッションによって、利用者を支持することを特徴とする。
【００１１】
また、本発明に係る体位安定クッションの第２の使用方法は、前記体位安定クッション片の前記他方の側面と、該体位安定クッション片の他方の側面と同形同大に形成された前記第２体位安定クッション片の一方の側面とを接触させ、前記体位安定クッション片及び前記第２体位安定クッション片が軸方向に沿って連続するように配置された状態の前記体位安定クッションによって、利用者を支持することを特徴とする。
【００１２】
さらに、本発明に係る体位安定クッションの第３の使用方法は、前記体位安定クッション片の前記一方の側面と、該体位安定クッション片の一方の側面と同形同大に形成された前記第２体位安定クッション片の他方の側面とが互いに同一の方向を向き、かつ、前記体位安定クッション片と前記第２体位安定クッション片とが互いに平行となるよう、前記体位安定クッション片及び前記第２体位安定クッション片を離間して配置させた状態の前記体位安定クッションによって、利用者を支持することを特徴とする。
【発明の効果】
【００１３】
本発明によれば、利用者の体圧の集中を緩和させることが可能な体位安定クッション片、体位安定クッション及び体位安定クッションの使用方法を提供することができる。
【図面の簡単な説明】
【００１４】
【図１】本発明の一実施形態に係る体位安定クッションの概略構成を示す斜視図である。
【図２】図２（ａ）は、第１体位安定クッション片の左側面及び第２体位安定クッション片の右側面を示す概略側面図であり、図２（ｂ）は、第１体位安定クッション片の右側面及び第２体位安定クッション片の左側面を示す概略側面図である。
【図３】図３（ａ）は、第１体位安定クッション片を示す概略正面図であり、図３（ｂ）は、第２体位安定クッション片を示す概略正面図である。
【図４】図４（ａ）は、第１体位安定クッション片を示す概略平面図であり、図４（ｂ）は、第２体位安定クッション片を示す概略平面図である。
【図５】体位安定クッションの第１の使用方法を示す概略斜視図である。
【図６】体位安定クッションの第２の使用方法を示す概略斜視図である。
【図７】体位安定クッションの第３の使用方法を示す概略斜視図である。
【図８】体位安定クッションの第４の使用方法を示す概略正面図である。
【図９】従来の三角柱状クッションの概略構成を示す斜視図である。
【図１０】従来の三角柱状クッションの使用例を示す斜視図である。
【図１１】従来の三角柱状クッションの他の使用例を示す斜視図である。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
本実施形態に係る体位安定クッション１は、図１に示すように、互いに左右対称となるよう構成された第１体位安定クッション片１０及び第２体位安定クッション片２０を備えている。
【００１７】
第１体位安定クッション片１０は、発泡ウレタン等の弾力性を有する材料からなるクッション体をカバー部材等によって覆ったクッション部材であり、図１に示すように、左側面（一方の側面）１２から右側面（他方の側面）１４に向けて先細りとなる横倒しの略三角柱状に形成されている。具体的には、第１体位安定クッション片１０は、一対の側面（左側面１２及び右側面１４）と、一対の側面１２，１４間に設けられた上面１６、底面１７及び背面１８とを備える略三角柱状に形成されており、上面１６が、正面方向に向けて下方に傾斜しつつ、左側面１２から右側面１４に向けて傾斜するよう構成されている。
【００１８】
第１体位安定クッション片１０の左側面１２は、図１及び図２（ａ）に示すように、前後方向に延びる底辺１２ａと、底辺１２ａの後端部から上方に向けて延びる後辺１２ｂと、後辺１２ｂの上端部から底辺１２ａの前端部に向けて正面方向かつ下方に傾斜して延びる上辺１２ｃとを有する三角形状に形成されている。
【００１９】
また、第１体位安定クッション片１０の右側面１４は、図１及び図２（ｂ）に示すように、前後方向に延びる底辺１４ａと、底辺１４ａの後端部から上方に向けて延びる後辺１４ｂと、後辺１４ｂの上端部から底辺１４ａの前端部に向けて正面方向かつ下方に傾斜して延びる上辺１４ｃとを有する三角形状に形成されている。
【００２０】
第１体位安定クッション片１０の左側面１２の底辺１２ａ、後辺１２ｂ及び上辺１２ｃは、それぞれ、右側面１４の底辺１４ａ、後辺１４ｂ及び上辺１４ｃよりも長くなるよう形成されている。これら底辺１２ａ，１４ａ間、後辺１２ｂ，１４ｂ間及び上辺１２ｃ，１４ｃ間の各比率は、それぞれ同一となるよう設定されることが好ましい。すなわち、第１体位安定クッション片１０の左側面１２及び右側面１４は、同一形状を有し、かつ、互いに異なる大きさを有することが好ましい。また、第１体位安定クッション片１０は、左側面１２及び右側面１４を形成する三角形の角度がそれぞれ異なること（すなわち、左側面１２及び右側面１４が正三角形ではないこと）が好ましく、上辺１２ｃ，１４ｃを斜辺とする直角三角形であることがより好ましい。さらに、左側面１２及び右側面１４が直角三角形である場合には、底辺１２ａ，１４ａと上辺１２ｃ，１４ｃのなす角が、上辺１２ｃ，１４ｃと後辺１２ｂ，１４ｂのなす角よりも小さい角度、好ましくは３０度程度の角度を有することが好ましい。
【００２１】
上面１６は、図１に示すように、左側面１２の上辺１２ｃから右側面１４の上辺１４ｃに亘って延びる面であり、第１体位安定クッション片１０の使用時において、利用者を支持する支持面として機能するよう構成されている。底面１７は、左側面１２の底辺１２ａから右側面１４の底辺１４ａに亘って延びる面であり、第１体位安定クッション片１０の使用時において、寝床等の設置箇所に載置される接地面として機能するよう構成されている。背面１８は、左側面１２の後辺１２ｂから右側面１４の後辺１４ｂに亘って延びる面である。
【００２２】
第２体位安定クッション片２０は、第１体位安定クッション片１０と同様に、発泡ウレタン等の弾力性を有する材料からなるクッション体をカバー部材等によって覆ったクッション部材である。この第２体位安定クッション片２０は、図１〜図４に示すように、第１体位安定クッション片１０に対して左右対称となる形状及び大きさを有している。すなわち、第２体位安定クッション片２０は、右側面（他方の側面）２４から左側面（一方の側面）２２に向けて先細りとなる横倒しの略三角柱状に形成されている。具体的には、第２体位安定クッション片２０は、一対の側面（左側面２２及び右側面２４）と、一対の側面２２，２４間に設けられた上面２６、底面２７及び背面２８とを備える略三角柱状に形成されており、上面２６が、正面方向に向けて下方に傾斜しつつ、右側面２４から左側面２２に向けて傾斜するよう構成されている。
【００２３】
第２体位安定クッション片２０の左側面２２は、図１及び図２（ｂ）に示すように、前後方向に延びる底辺２２ａと、底辺２２ａの後端部から上方に向けて延びる後辺２２ｂと、後辺２２ｂの上端部から底辺２２ａの前端部に向けて正面方向かつ下方に傾斜して延びる上辺２２ｃとを有する三角形状に形成されている。この第２体位安定クッション片２０の左側面２２は、第１体位安定クッション片１０の右側面１４と同形同大に形成されている。
【００２４】
また、第２体位安定クッション片２０の右側面２４は、図１及び図２（ａ）に示すように、前後方向に延びる底辺２４ａと、底辺２４ａの後端部から上方に向けて延びる後辺２４ｂと、後辺２４ｂの上端部から底辺２４ａの前端部に向けて正面方向かつ下方に傾斜して延びる上辺２４ｃとを有する三角形状に形成されている。この第２体位安定クッション片２０の右側面２４は、第１体位安定クッション片１０の左側面１２と同形同大に形成されている。
【００２５】
第２体位安定クッション片２０の上面２６は、第１体位安定クッション片１０の上面１６と同様に、図１に示すように、左側面２２の上辺２２ｃから右側面２４の上辺２４ｃに亘って延びる面であり、第２体位安定クッション片２０の使用時において、利用者を支持する支持面として機能するよう構成されている。また、底面２７は、第１体位安定クッション片１０の底面１７と同様に、左側面２２の底辺２２ａから右側面２４の底辺２４ａに亘って延びる面であり、第２体位安定クッション片２０の使用時において、寝床等の設置箇所に載置される接地面として機能するよう構成されている。さらに、背面２８は、第１体位安定クッション片１０の背面１８と同様に、左側面２２の後辺２２ｂから右側面２４の後辺２４ｂに亘って延びる面である。
【００２６】
以上の構成を備えることにより、第１体位安定クッション片１０及び第２体位安定クッション片２０は、それぞれ、一方の側端部における高さ方向寸法及び奥行き方向寸法と、他方の側端部における高さ方向寸法及び奥行き方向寸法とが異なるという特徴を有している。具体的には、第１体位安定クッション片１０は、図２（ａ）、図２（ｂ）、図３（ａ）及び図４（ａ）に示すように、左側面１２側の端部の高さ方向寸法Ｈ１及び奥行き方向寸法Ｄ１が、それぞれ、右側面１４側の端部の高さ方向寸法Ｈ２及び奥行き方向寸法Ｄ２よりも大きくなるよう構成されている。また、第２体位安定クッション片２０は、図２（ａ）、図２（ｂ）、図３（ｂ）及び図４（ｂ）に示すように、右側面２４側の端部の高さ方向寸法Ｈ１´及び奥行き方向寸法Ｄ１´が、それぞれ、左側面２２側の端部の高さ方向寸法Ｈ２´及び奥行き方向寸法Ｄ２´よりも大きくなるよう構成されている。
【００２７】
そして、このような第１体位安定クッション片１０及び第２体位安定クッション片２０を備える体位安定クッション１によれば、第１体位安定クッション片１０に対する第２体位安定クッション片２０の位置を変化させることにより、利用者２を様々な体位で支持することが可能となる。以下、本実施形態に係る体位安定クッション１の使用方法について、図５〜図７を用いて例示する。なお、本実施形態に係る体位安定クッション１の使用方法は、これらの使用例に限定されるものではなく、様々な態様で使用することが可能である。
【００２８】
まず、本実施形態に係る体位安定クッション１の第１の使用方法について、図５を用いて説明する。第１の使用方法は、図５（ａ）及び図５（ｂ）に示すように、第１体位安定クッション片１０の上面（支持面）１６と第２体位安定クッション片２０の上面（支持面）２６とがいずれも正面を向いた状態で、第１体位安定クッション片１０の左側面（面積が大きい方の側面）１２と、第２体位安定クッション片２０の右側面（面積が大きい方の側面）２４とを接触させ、第１及び第２体位安定クッション片１０，２０が軸方向に沿って連続するように配置された状態の体位安定クッション１によって、利用者２を支持する方法である。このように第１及び第２体位安定クッション片１０，２０が組み合わされることにより、体位安定クッション１は、軸方向の中間部の高さ方向寸法及び奥行き方向寸法の双方が、軸方向の両端部の高さ方向寸法及び奥行き方向寸法よりも大きい全体形状となる。また、体位安定クッション１には、図５（ａ）に示すように、軸方向の中間部が正面方向かつ上方に向けて略くの字状に突出するよう屈曲された山状の上面（支持面）１６，２６が形成される。具体的には、第１の使用方法における体位安定クッション１は、軸方向の一端部（第１体位安定クッション片１０の右側面１４）から軸方向の中間部までの支持面（第１体位安定クッション片１０の上面１６）が、正面方向に向けて下方に傾斜しつつ軸方向の中間部に向けて上方に傾斜し、軸方向の中間部から軸方向の他端部（第２体位安定クッション片２０の左側面２２）までの支持面（第２体位安定クッション片２０の上面２６）が、正面方向に向けて下方に傾斜しつつ軸方向の他端部（第２体位安定クッション片２０の左側面２２）に向けて下方に傾斜することで、全体として、山状の支持面（上面１６，２６）が形成されている。そして、図５（ｂ）に示すように、このような体位安定クッション１を底面１７，２７を下にして寝床に配置し、山状の上面（支持面）１６，２６が利用者２の身体の凹凸と整合するように、利用者２と寝床との間に体位安定クッション１を挿入する。なお、図５（ｂ）では、腹臥位（うつ伏せ）状態の利用者２の腹部を体位安定クッション１によって支持し、利用者２を半側臥位（半横向き）状態とする態様を例示したが、これに限定されず、例えば仰臥位（仰向け）状態の利用者２の背面を支持する態様など、様々な体位で利用者２を支持することが可能である。
【００２９】
次に、本実施形態に係る体位安定クッション１の第２の使用方法について、図６を用いて説明する。第２の使用方法は、図６（ａ）及び図６（ｂ）に示すように、第１体位安定クッション片１０の上面（支持面）１６と第２体位安定クッション片２０の上面（支持面）２６とがいずれも正面を向いた状態で、第１体位安定クッション片１０の右側面（面積が小さい方の側面）１４と、第２体位安定クッション片２０の左側面（面積が小さい方の側面）２２とを接触させ、第１及び第２体位安定クッション片１０，２０が軸方向に沿って連続するように配置された状態の体位安定クッション１によって、利用者２を支持する方法である。このように第１及び第２体位安定クッション片１０，２０が組み合わされることにより、体位安定クッション１は、軸方向の中間部の高さ方向寸法及び奥行き方向寸法の双方が、軸方向の両端部の高さ方向寸法及び奥行き方向寸法よりも小さい全体形状となる。また、体位安定クッション１には、図６（ａ）に示すように、軸方向の中間部が正面方向かつ下方に向けて略くの字状に窪むよう屈曲された谷状の上面（支持面）１６，２６が形成される。具体的には、第２の使用方法における体位安定クッション１は、軸方向の一端部（第２体位安定クッション片２０の右側面２４）から軸方向の中間部までの支持面（第２体位安定クッション片２０の上面２６）が、正面方向に向けて下方に傾斜しつつ軸方向の中間部に向けて下方に傾斜し、軸方向の中間部から軸方向の他端部（第１体位安定クッション片１０の左側面１２）までの支持面（第１体位安定クッション片１０の上面１６）が、正面方向に向けて下方に傾斜しつつ軸方向の他端部（第１体位安定クッション片１０の左側面１２）に向けて上方に傾斜することで、全体として、谷状の支持面（上面１６，２６）が形成されている。そして、図６（ｂ）に示すように、このような体位安定クッション１を底面１７，２７を下にして寝床に配置し、谷状の上面（支持面）１６，２６が利用者２の身体の凹凸と整合するように、例えば、体位安定クッション１の谷部に利用者２の臀部が入り込むように、利用者２と寝床との間に体位安定クッション１を挿入する。なお、図６（ｂ）では、仰臥位（仰向け）状態の利用者２の背面を体位安定クッション１によって支持する態様を例示したが、これに限定されず、例えば腹臥位（うつ伏せ）状態や側臥位（横向き）状態の利用者２を支持する態様など、様々な体位で利用者２を支持することが可能である。
【００３０】
次に、本実施形態に係る体位安定クッション１の第３の使用方法について、図７を用いて説明する。第３の使用方法は、図７（ａ）及び図７（ｂ）に示すように、互いに平行となるよう離間して配置させた第１体位安定クッション片１０と第２体位安定クッション片２０とによって、利用者２を支持する方法である。第３の使用方法において、第１体位安定クッション片１０及び第２体位安定クッション片２０は、上面（支持面）１６，２６が互いに向き合い、かつ、第１体位安定クッション片１０の左側面（一方の側面）１２と、第１体位安定クッション片１０の左側面１２と同形同大に形成された第２体位安定クッション片２０の右側面（他方の側面）２４とが互いに同一の方向を向くよう、配置される。このように第１及び第２体位安定クッション片１０，２０が配置されることにより、第１及び第２体位安定クッション片１０，２０の対向方向中央に向けて下方に傾斜しつつ対向方向と直交かつ寝床等の設置面と平行な方向の一方から他方に向かって下方に傾斜する支持面（上面１６，２６）が形成されるため、この支持面（上面１６，２６）によって、利用者２の身体の傾斜に沿って利用者の身体の両側部を支持することができる。なお、図７（ｂ）では、仰臥位（仰向け）状態の利用者２の背面を体位安定クッション１によって支持する態様を例示したが、これに限定されず、例えば腹臥位（うつ伏せ）状態や側臥位（横向き）状態の利用者２を支持する態様など、様々な体位で利用者２を支持することが可能である。
【００３１】
また、本実施形態に係る体位安定クッション１は、第１体位安定クッション片１０及び第２体位安定クッション片２０を組み合わせて用いる態様の他に、第１体位安定クッション片１０及び第２体位安定クッション片２０をそれぞれ単独で用いることも可能である。図８は、第１体位安定クッション片１０及び第２体位安定クッション片２０を単独で用いた使用例（第４の使用方法）を示している。第４の使用方法は、図８に示すように、車椅子３等に乗車している利用者２と車椅子３との間に第２体位安定クッション片２０（又は第１体位安定クッション片１０）のみを挿入して、利用者２を支持する方法である。このような第４の使用方法によれば、車椅子３に乗車している利用者２の身体の傾きを補正し、利用者２を適正な姿勢及び位置で乗車させることが可能となる。また、第１体位安定クッション片１０及び第２体位安定クッション片２０の単独使用は、車椅子３での利用に限定されず、例えば、寝床と利用者との間に第１体位安定クッション片１０（又は第２体位安定クッション片２０）のみを挿入して利用者を支持する態様等、種々の態様で用いることができる。
【００３２】
以上のように、本実施形態に係る体位安定クッション１は、利用者を様々な体位で支持することが可能であるため、例えば、褥瘡（床ずれ）の予防や、睡眠時のいびきの発生の抑制等の効果を期待できる。特に、本実施形態に係る第１体位安定クッション片１０は、一対の側面１２，１４と、該一対の側面１２，１４間に設けられ、利用者を支持する支持面１６とを少なくとも有し、支持面１６が、正面方向に向けて下方に傾斜しつつ、一方の側面１２から他方の側面１４に向けて傾斜している。このような第１体位安定クッション片１０によれば、傾斜した支持面１６を利用者の身体の傾斜にフィットさせた状態で、利用者を支持することが可能となるため、利用者の体圧の集中を緩和させることができる。
【００３３】
また、本実施形態に係る体位安定クッション１は、第１体位安定クッション片１０と、第１体位安定クッション片１０に対して左右対称となる形状及び大きさを有する第２体位安定クッション片２０とを備えている。このような体位安定クッション１によれば、第１〜第３の使用方法として上述したとおり、支持面（上面１６，２６）を利用者の身体の形状にフィットさせた状態で利用者を支持することができるため、利用者の体圧の集中を緩和させつつ、利用者の身体を安定して支持することができる。特に、従来の三角柱状クッション１００のような単なる三角柱状のクッションでは、例えば利用者の身体に沿って２つ並べて用いた場合、図１０及び図１１に示すように、一方の三角柱状クッション１００と他方の三角柱状クッション１００との間に隙間Ｐが生じ、安定して利用者を支持することができないという問題がある。これに対し、本実施形態に係る体位安定クッション１は、第１体位安定クッション片１０及び第２体位安定クッション片２０が、それぞれ左右非対称となるよう形成されると共に、互いに左右対称となるよう形成されることにより、図５（ａ）及び図６（ａ）に示すように、第１体位安定クッション片１０及び第２体位安定クッション片２０を隙間なく接続させることが可能となるため、安定して、利用者を支持することが可能である。
【００３４】
以上、本発明の好適な実施形態について説明したが、本発明の技術的範囲は、上述した実施形態に記載の範囲には限定されない。上記各実施形態には、多様な変更又は改良を加えることが可能である。
【００３５】
例えば、上述の実施形態では、第１及び第２体位安定クッション片１０，２０が、それぞれ、一対の側面、上面、底面及び背面を備える横倒しの略三角柱状に形成されるものとして説明したが、これに限定されず、正面方向に向けて下方に傾斜しつつ、一方の側面から他方の側面に向けて傾斜する支持面を有するものであれば良く、例えば、横倒しの円柱状や横倒しの四角柱形状等の任意の形状を採用することができる。
【００３６】
また、上述の実施形態では、第１及び第２体位安定クッション片１０，２０の上面１６，２６、底面１７，２７及び背面１８，２８が、それぞれ直線的に延びる面であるものとして説明したが、これに限定されず、例えば、上面１６，２６、底面１７，２７及び背面１８，２８の少なくとも一つは、左側面１２，２２から右側面１４，２４に亘って軸方向に延びる窪みが形成された湾曲面であるとしても良い。この軸方向に延びる窪みは、軸方向と垂直に交わる断面Ｒ状に形成されることが好ましく、この場合には、第１及び第２体位安定クッション片１０，２０の軸方向に延びる各辺が、丸みを帯びた形状に形成されることが好ましい。このように、上面１６，２６が窪みを有するよう構成された場合には、利用者２の身体と上面１６，２６との接触面積が窪みによって広くなるため、安定感が増すと共に、体重による負荷が分散され、痛みが生じにくいという利点がある。また、底面１７，２７が窪みを有するよう構成された場合には、利用者２が第１及び第２体位安定クッション片１０，２０に体重を掛けた際に、沈み込むように弾性変形することで、利用者２の体重を弾性的に支えるばねの機能を発揮すると共に、上面１６，２６の高さ方向の位置を調整する機能を発揮することとなるため、安定感及び体圧分散性能をより向上させることができるという利点がある。さらに、背面１８，２８が窪みを有するよう構成された場合には、利用者２が第１及び第２体位安定クッション片１０，２０に体重を掛けた際に、内側に屈曲するように弾性変形することで、利用者２の体重を弾性的に支えるばねの機能を発揮すると共に、上面１６，２６の傾斜角度を調整する機能を発揮することとなるため、安定感及び体圧分散性能をより向上させることができるという利点がある。そして、上面１６，２６、底面１７，２７及び背面１８，２８の全てに窪みが形成される場合には、上述した利点に加え、使用時において、利用者２の体型にフィットする形状に変形しつつ、その形状を維持するように利用者２を付勢し続けることが可能となるため、非常に優れた安定感を実現することができる。
【００３７】
さらに、上述の実施形態では特に言及していないが、第１体位安定クッション片１０の左側面１２及び右側面１４と、第２体位安定クッション片２０の左側面２２及び右側面２４には、それぞれ、面ファスナ等の接着手段が設けられることが好ましい。また、第１及び第２体位安定クッション片１０，２０の底面１７，２７には、滑り止め加工が施されるとしても良いし、滑り止め部材が設けられるとしても良い。
【００３８】
上記のような変形例が本発明の範囲に含まれることは、特許請求の範囲の記載から明らかである。
【符号の説明】
【００３９】
１  体位安定クッション、１０  第１体位安定クッション片、２０  第２体位安定クッション片、１２，２２  左側面（一方の側面）、１４，２４  右側面（他方の側面）、１６，２６  上面（支持面）、１７，２７  底面、１８，２８  背面、１２ａ，１４ａ，２２ａ，２４ａ  底辺、１２ｂ，１４ｂ，２２ｂ，２４ｂ  後辺、１２ｃ，１４ｃ，２２ｃ，２４ｃ  上辺
【図１】
2016209403.tif 000003
【図２】
2016209403.tif 000004
【図３】
2016209403.tif 000005
【図４】
2016209403.tif 000006
【図５】
2016209403.tif 000007
【図６】
2016209403.tif 000008
【図７】
2016209403.tif 000009
【図８】
2016209403.tif 000010
【図９】
2016209403.tif 000011
【図１０】
2016209403.tif 000012
【図１１】
2016209403.tif 000013